(57)【要約】【課題】操作部材をハウジングに組み付けてレバーと係合させる場合における作業性の向上を図る。【解決手段】端子金具が取り付けられるハウジング２０と、相手側コネクタＭのカムフォロア１１Ａ，１１Ｂと係合可能なカム機能部３１Ａ，３１Ｂを有し、ハウジング２０に回動可能に支持されたレバー３０Ａ，３０Ｂと、ハウジング２０に組み付けられてレバー３０Ａ，３０Ｂと係合され、前後方向へ移動することによりレバー３０Ａ，３０Ｂを回動させる操作部材４０とを備える。ハウジング２０とレバー３０Ａ，３０Ｂには、互いに係合することによりレバー３０Ａ，３０Ｂを回動規制状態に保持可能な保持部（保持突起２３、保持面３６、規制突起２２、規制面３５）が形成されている【選択図】図１
2009245781.tif 000002
【特許請求の範囲】
【請求項１】
端子金具が取り付けられるハウジングと、
相手側コネクタのカムフォロアと係合可能なカム機能部を有し、前記ハウジングに回動可能に支持されたレバーと、
前記ハウジングに組み付けられて前記レバーと係合され、前後方向へ移動することにより前記レバーを回動させる操作部材とを備えたレバー式コネクタにおいて、
前記ハウジングと前記レバーには、互いに係合することにより前記レバーを回動規制状態に保持可能な保持部が形成されていることを特徴とするレバー式コネクタ。
【請求項２】
前記レバーが初期位置にある状態では、前記ハウジングを前記相手側コネクタに浅く嵌合させると、前記カム機能部が前記カムフォロアと係合するようになっており、
前記保持部同士が係合している状態では、前記レバーが前記初期位置に保持されるようになっていることを特徴とする請求項１記載のレバー式コネクタ。
【請求項３】
前記レバー側の前記保持部が前記カム機能部に形成されていることを特徴とする請求項１又は請求項２記載のレバー式コネクタ。
【請求項４】
前記操作部材が前記ハウジングに外嵌される形態であり、
前記操作部材には、前後方向に延びるガイドが、前記操作部材の移動方向と交差する方向に間隔を空けて複数形成されており、
前記ハウジングの外面には、前記ガイドに係合可能な複数の被ガイド部が形成されていることを特徴とする請求項１ないし請求項３のいずれか１項に記載のレバー式コネクタ。
【請求項５】
前記レバーには係合突起が形成され、
前記操作部材には、前記係合突起と係合可能であって前記操作部材の移動方向と交差する方向の係合溝が形成され、
前記操作部材を前後方向へ移動させたときには、前記係合突起と前記係合溝との係合により前記レバーが回動されるようになっており、
前記操作部材には、前記操作部材の前端縁から後方へ切欠されて前記係合溝に連通する誘導溝が形成されていることを特徴とする請求項１ないし請求項４のいずれか１項に記載のレバー式コネクタ。
【発明の詳細な説明】
【技術分野】
【０００１】
本発明は、レバー式コネクタに関するものである。
【背景技術】
【０００２】
特許文献１には、端子金具が取り付けられるハウジングに、相手側コネクタとの嵌合を行わせるためのレバーを回動可能に取り付け、ハウジングに対して後方から組み付けた操作部材を前方へ移動させることにより、その操作部材でレバーを押圧して回動させるようにしたレバー式コネクタが開示されている。
【０００３】
このレバー式コネクタでは、後方から端子金具をハウジングに挿入するときには、挿入作業の邪魔にならないように、予め、操作部材をハウジングから外しておく。そして、端子金具の挿入が終わった後に、操作部材をハウジングに組み付ける。
【特許文献１】特開２００３−３３８３３９公報
【発明の開示】
【発明が解決しようとする課題】
【０００４】
操作部材をハウジングに組み付けるときには、操作部材をレバーに対して回動可能に係合させる必要があるが、操作部材をハウジングから外した状態においてレバーの姿勢が定まっていないと、レバーに操作部材を係合させることが困難であり、作業性が良くない。
本発明は上記のような事情に基づいて完成されたものであって、操作部材をハウジングに組み付けてレバーと係合させる場合における作業性の向上を図ることを目的とする。
【課題を解決するための手段】
【０００５】
上記の目的を達成するための手段として、請求項１の発明は、端子金具が取り付けられるハウジングと、相手側コネクタのカムフォロアと係合可能なカム機能部を有し、前記ハウジングに回動可能に支持されたレバーと、前記ハウジングに組み付けられて前記レバーと係合され、前後方向へ移動することにより前記レバーを回動させる操作部材とを備えたレバー式コネクタにおいて、前記ハウジングと前記レバーには、互いに係合することにより前記レバーを回動規制状態に保持可能な保持部が形成されているところに特徴を有する。
【０００６】
請求項２の発明は、請求項１に記載のものにおいて、前記レバーが初期位置にある状態では、前記ハウジングを前記相手側コネクタに浅く嵌合させると、前記カム機能部が前記カムフォロアと係合するようになっており、前記保持部同士が係合している状態では、前記レバーが前記初期位置に保持されるようになっているところに特徴を有する。
【０００７】
請求項３の発明は、請求項１または請求項２に記載のものにおいて、前記レバー側の前記保持部が前記カム機能部に形成されているところに特徴を有する。
【０００８】
請求項４の発明は、請求項１ないし請求項３のいずれかに記載のものにおいて、前記操作部材が前記ハウジングに外嵌される形態であり、前記操作部材には、前後方向に延びるガイドが、前記操作部材の移動方向と交差する方向に間隔を空けて複数形成されており、前記ハウジングの外面には、前記ガイドに係合可能な複数の被ガイド部が形成されているところに特徴を有する。
【０００９】
請求項５の発明は、請求項１ないし請求項４のいずれかに記載のものにおいて、前記レバーには係合突起が形成され、前記操作部材には、前記係合突起と係合可能であって前記操作部材の移動方向と交差する方向の係合溝が形成され、前記操作部材を前後方向へ移動させたときには、前記係合突起と前記係合溝との係合により前記レバーが回動されるようになっており、前記操作部材には、前記操作部材の前端縁から後方へ切欠されて前記係合溝に連通する誘導溝が形成されているところに特徴を有する。
【発明の効果】
【００１０】
＜請求項１の発明＞
操作部材がハウジングから外されている状態では、保持部同士の係合作用によりレバーが回動規制状態に保持されているので、操作部材をハウジングに組み付けたときに、操作部材をレバーに係合させ易く、作業性に優れている。
【００１１】
＜請求項２の発明＞
操作部材をハウジングに組み付けてから、相手側コネクタとの嵌合を行うまでの間、レバーを初期位置へ変位させるための操作部材の操作が不要なので、作業性に優れている。
【００１２】
＜請求項３の発明＞
カム機能部がレバー側の保持部を兼ねているので、レバーの形状の簡素化を図ることが可能である。
【００１３】
＜請求項４の発明＞
操作部材を前後方向に移動させる際には、その移動方向と交差する方向に間隔を空けた複数のガイドと被ガイド部との係合作用により、ハウジングに対する操作部材の姿勢が安定するので、操作性に優れている。
【００１４】
＜請求項５の発明＞
操作部材をハウジングに組み付ける際には、誘導溝を係合突起に嵌入させることにより、係合突起が位置決め手段としての機能を発揮し、操作部材がハウジングに対して位置決めされる。また、誘導溝は操作部材の前端縁に開口されているので、操作部材を変形させなくても、係合突起を係合溝に誘い込むことができる。したがって、作業性に優れている。
【発明を実施するための最良の形態】
【００１５】
＜実施形態１＞
以下、本発明を具体化した実施形態１を図１乃至図７を参照して説明する。本実施形態のレバー式コネクタＦの嵌合対象である相手側コネクタＭは、図６及び図７に示すように、左右方向に長い角筒状をなすフード部１０を有し、このフード部１０内には周知形態の複数の雄タブ（図示せず）が収容されている。フード部１０の上面壁の内面（下面）には、左右方向において中央位置よりも左方（図６及び図７における下方）に位置する突起状の第１カムフォロア１１Ａが形成されている。また、フード部１０の下面壁の内面（上面）には、左右方向において中央位置よりも右方に位置する突起状の第２カムフォロア１１Ｂが形成されている。
【００１６】
レバー式コネクタＦは、ハウジング２０と一対のレバー３０Ａ，３０Ｂと操作部材４０とを備えて構成されている。
ハウジング２０は、合成樹脂製であって、左右方向に長く、前後方向の寸法に対して高さ寸法が小さい扁平なブロック状をなしていて、フード部１０内に嵌入されるようになっている。ハウジング２０内には、後方（図１，図６，図７における右方）から周知形態の複数の雌端子金具（図示せず）が挿入されている。各雌端子金具には、夫々、電線（図示せず）が接続されており、これらの電線は、ハウジング２０の後面から後方へ導出されて一纏めにして束ねられている。
【００１７】
ハウジング２０の上面には、左右方向における中央よりも左方の位置から突出する第１支持軸２１Ａが形成されている。ハウジング２０の上面における左半分の領域内には、第１支持軸２１Ａの斜め左前方に位置する円柱形の規制突起２２（本発明の構成要件である保持部）と、第１支持軸２１Ａの斜め右前方に位置する円柱形の保持突起２３（本発明の構成要件である保持部）とが形成されている。ハウジング２０の上面における右半分の領域には、ハウジング２０の後端縁において左右方向に間隔を空けた２位置から突出する一対の第１ガイド突起２４Ａ（本発明の構成要件である被ガイド部）が形成されている。
【００１８】
一方、ハウジング２０の下面には、左右方向における中央よりも右方の位置から突出する第２支持軸２１Ｂが形成されている。ハウジング２０の下面における右半分の領域内には、第２支持軸２１Ｂの斜め右前方に位置する円柱形の規制突起２２（本発明の構成要件である保持部）と、第２支持軸２１Ｂの斜め左前方に位置する円柱形の保持突起２３（本発明の構成要件である保持部）とが形成されている。ハウジング２０の下面における左半分の領域には、ハウジング２０の後端縁において左右方向に間隔を空けた２位置から突出する一対の第２ガイド突起２４Ｂ（本発明の構成要件である被ガイド部）が形成されている。
【００１９】
上述したハウジング２０の上面の形状と下面の形状とは、ハウジング２０の上下方向及び左右方向における中央位置を通る前後方向（相手側コネクタＭとの嵌合・離脱方向と平行な方向）の軸線に関して互いに点対称な形態となっている。また、ハウジング２０の右側面と左側面には、ハウジング２０の後端縁から突出する第３ガイド突起２５Ｌ，２５Ｒが形成されている。
【００２０】
一対のレバーは、第１レバー３０Ａと第２レバー３０Ｂとからなる。この第１レバー３０Ａと第２レバー３０Ｂは、同一の形態のものであって、合成樹脂からなり、ハウジング２０に対して点対称な位置関係となるように組み付けられている。
【００２１】
ハウジング２０の上面に取り付けられている第１レバー３０Ａは、板状をなしていて、上下方向に貫通する軸受孔を第１支持軸２１Ａに嵌合させており、この第１支持軸２１Ａを中心として図１及び図６に示す初期位置と図７に示す嵌合位置との間で水平に回動し得るように支持されている。第１レバー３０Ａには、その外周縁に開口する溝状の第１カム機能部３１Ａと、第１支持軸２１Ａと同心の円弧形をなす弧状溝３２と、第１支持軸２１Ａと同心の円弧形をなす逃がし溝３３とが形成されている。同じく第１レバー３０Ａには、その上面（外面）における第１支持軸２１Ａから大きく離間した位置から突出する円柱形の第１係合突起３４Ａが形成されている。
【００２２】
第１レバー３０Ａが初期位置にある状態では、第１カム機能部３１Ａの入り口が前方に開口して第１カムフォロア１１Ａの進入に備えて待機するとともに、第１係合突起３４Ａが、左右方向におけるハウジング２０のほぼ中央位置、正確には中央よりも少し右方の位置であって、第１支持軸２１Ａから右方へ大きく離間した位置に配置される。また、第１係合突起３４Ａは、前後方向においてはハウジング２０の後端縁上に位置している。
【００２３】
また、第１支持軸２１Ａの左方においては、規制突起２２が弧状溝３２の後端の規制面３５（本発明の構成要件である保持部）に対して前方から係止し、第１支持軸２１Ａの右方においては、保持突起２３が第１カム機能部３１Ａの後端（奥端）の保持面３６（本発明の構成要件である保持部）に対して前方から係止する。規制突起２２と規制面３５との係止作用により第１レバー３０Ａの嵌合位置とは反対側への回動が規制されるとともに、保持突起２３と保持面３６との係止作用により第１レバー３０Ａの嵌合位置側への回動が規制され、これにより、第１レバー３０Ａは初期位置において回動を規制された状態に保持される。
【００２４】
尚、保持突起２３と保持面３６との係止は、セミロック形態なので、保持突起２３と保持面３６との係止力を上回る回動力が第１レバー３０Ａに付与されると、第１レバー３０Ａは嵌合位置側へ回動されるようになっている。第１レバー３０Ａが嵌合位置側へ回動する過程では、第１係合突起３４Ａが、第１支持軸２１Ａを中心とする円弧を描きながら概ね前方へ変位し、保持突起２３が逃がし溝３３内を相対的に移動するとともに、規制突起２２が弧状溝３２内を相対的に移動する。
【００２５】
ハウジング２０の下面に取り付けられている板状の第２レバー３０Ｂは、上下方向に貫通する軸受孔を第２支持軸２１Ｂに嵌合させており、この第２支持軸２１Ｂを中心として図１及び図６に示す初期位置と図７に示す嵌合位置との間で水平に回動し得るように支持されている。第２レバー３０Ｂには、その外周縁に開口する溝状の第２カム機能部３１Ｂと、第２支持軸２１Ｂと同心の円弧形をな弧状溝３２と、第２支持軸２１Ｂと同心の円弧形をなす逃がし溝３３とが形成されている。同じく第２レバー３０Ｂには、その下面（外面）における第２支持軸２１Ｂから大きく離間した位置から突出する円柱形の第２係合突起３４Ｂが形成されている。
【００２６】
第２レバー３０Ｂが初期位置にある状態では、第２カム機能部３１Ｂの入り口が前方に開口して第２カムフォロア１１Ｂの進入に備えて待機するとともに、第２係合突起３４Ｂが、左右方向におけるハウジング２０のほぼ中央位置、正確には中央よりも少し左方の位置であって、第２支持軸２１Ｂから左方へ大きく離間した位置に配置される。また、第２係合突起３４Ｂは、前後方向においてはハウジング２０の後端縁上に位置している。
【００２７】
また、第２支持軸２１Ｂの右方においては、規制突起２２が弧状溝３２の後端の規制面３５（本発明の構成要件である保持部）に対して前方から係止し、第２支持軸２１Ｂの左方においては、保持突起２３が第２カム機能部３１Ｂの後端（奥端）の保持面３６（本発明の構成要件である保持部）に対して前方から係止する。規制突起２２と規制面３５との係止作用により第２レバー３０Ｂの嵌合位置とは反対側への回動が規制されるとともに、保持突起２３と保持面３６との係止作用により第２レバー３０Ｂの嵌合位置側への回動が規制され、これにより、第２レバー３０Ｂは初期位置において回動を規制された状態に保持される。
【００２８】
尚、保持突起２３と保持面３６との係止は、セミロック形態なので、保持突起２３と保持面３６との係止力を上回る回動力が第２レバー３０Ｂに付与されると、第２レバー３０Ｂは嵌合位置側へ回動されるようになっている。第２レバー３０Ｂが嵌合位置側へ回動する過程では、第２係合突起３４Ｂが、第２支持軸２１Ｂを中心とする円弧を描きながら概ね前方へ変位し、保持突起２３が逃がし溝３３内を相対的に移動するとともに、規制突起２２が弧状溝３２内を相対的に移動する。
【００２９】
操作部材４０は、合成樹脂製であって、ハウジング２０に対して後方から外嵌されるように組み付けられるようになっている。操作部材４０は、上面壁４１Ａと下面壁４１Ｂと右側壁４２と後面壁４３とを有し、前面と左側面がその全面に亘り且つ互いに連通した形態で開放された箱状をなしている。ハウジング２０に組み付けられた操作部材４０は、ハウジング２０の後端面を覆い隠す状態となり、ハウジング２０の後面から導出された電線の束（図示せず）が、操作部材４０内で屈曲されて、左側面の開口から操作部材４０外へ左方（図６及び図７の下方）へ導出される。つまり、操作部材４０は、ハウジング２０の後面から導出した電線を屈曲させてハウジング２０の後面と略平行な向きに導出させるための電線カバーを兼ねている。
【００３０】
操作部材４０の上面壁４１Ａには、左右方向（即ち、操作部材４０の相対移動方向と直角な方向）に延びる第１係合溝４４Ａが形成されている。第１係合溝４４Ａは、左右方向におけるほぼ中央の位置に、操作部材４０の前端縁に沿うように配置されている。同じく操作部材４０の上面壁４１Ａには、上面壁４１Ａの前端縁から後方（操作部材４０の移動方向と平行な方向）に切欠されて第１係合溝４４Ａの左端に連通する第１誘導溝４５Ａが形成されている。第１係合溝４４Ａと第１誘導溝４５ＡはＬ字形をなしている。
【００３１】
操作部材４０の下面壁４１Ｂには、第１係合溝４４Ａと同じく左右方向（即ち、操作部材４０の相対移動方向と直角な方向）に延びる第２係合溝４４Ｂが形成されている。第２係合溝４４Ｂは、左右方向におけるほぼ中央の位置に、操作部材４０の前端縁に沿うように配置されている。同じく操作部材４０の下面壁４１Ｂには、下面壁４１Ｂの前端縁から後方（操作部材４０の移動方向と平行な方向）に切欠されて第２係合溝４４Ｂの左端に連通する第２誘導溝４５Ｂが形成されている。第２係合溝４４Ｂと第２誘導溝４５ＢはＬ字形をなしている。また、第２係合溝４４Ｂと第２誘導溝４５Ｂは、第１係合溝４４Ａ及び第１誘導溝４５Ａよりも左方へずれた位置に配置されている。
【００３２】
操作部材４０の上面壁４１Ａにおける第１係合溝４４Ａよりも右方の領域には、前後方向（ハウジング２０に対する操作部材４０の移動方向と平行方向）に直線状に延びる左右一対の第１ガイド溝４６Ａが形成されている。この第１ガイド溝４６Ａは上面壁４１Ａの外面から内面に貫通している。また、上面壁４１Ａには、右側の第１ガイド溝４６Ａの前端から左方へ延出する溝状の第１進入路４７Ａと、左側の第１ガイド溝４６Ａの前端から左方へ延出して更に前方に屈曲して上面壁４１Ａの前端縁に開放されたＬ字形の溝状をなす第１進入路４７Ａとが形成されている。
【００３３】
操作部材４０の下面壁４１Ｂにおける第２係合溝４４Ｂよりも左方の領域には、前後方向（ハウジング２０に対する操作部材４０の移動方向と平行方向）に直線状に延びる左右一対の第２ガイド溝４６Ｂが形成されている。この第２ガイド溝４６Ｂは下面壁４１Ｂの外面から内面に貫通している。また、下面壁４１Ｂには、右側の第２ガイド溝４６Ｂの前端から左方へ延出する溝状の第２進入路４７Ｂと、左側の第２ガイド溝４６Ｂの前端から左方へ延出して更に前方に屈曲して下面壁４１Ｂの前端縁に開放されたＬ字形の溝状をなす第２進入路４７Ｂとが形成されている。
【００３４】
また、操作部材４０の右側壁４２には、前後方向（ハウジング２０に対する操作部材４０の移動方向と平行方向）に直線状に延びる１本の第３ガイド溝４８が形成されている。この第３ガイド溝４８は右側壁４２の外面から内面に貫通している。
【００３５】
かかる操作部材４０は、ハウジング２０に組み付けられた状態において、ハウジング２０に対して前後方向（即ち、レバー式コネクタＦと相手側コネクタＭとの嵌合・離脱方向と平行な方向）に相対移動できるようになっている。
【００３６】
次に、本実施形態の作用を説明する。
レバー式コネクタＦの組付けに際しては、まず、操作部材４０をハウジング２０から外した状態で、後方から端子金具をハウジング２０内に挿入する。そして、ハウジング２０の後面から導出された複数本の電線を纏めておく。一方、一対のレバー３０Ａ，３０Ｂについては、保持面３６と保持突起２３の係止作用及び規制突起２２と規制面３５との係止作用により、初期位置に保持しておく。
【００３７】
この後、操作部材４０を後方からハウジング２０に組み付けるとともに、レバー３０Ａ，３０Ｂに係合させる。この組み付けと係合の際には、操作部材４０を、ハウジング２０に対して正規の組付位置よりも少し右方へずらした状態で、後方からハウジング２０に接近させる。そして、第１係合突起３４Ａを第１誘導溝４５Ａに進入させ、第２係合突起３４Ｂを第２誘導溝４５Ｂに進入させ、左側の第１ガイド突起２４Ａを左側の第１進入路４７Ａに進入させ、左側の第２ガイド突起２４Ｂを左側の第２進入路４７Ｂに進入させる。これらの進入動作に伴う係合作用により、操作部材４０がハウジング２０に対して左右方向に位置決めされる。また、操作部材４０の上面壁４１Ａ及び下面壁４１Ｂの前端縁部がハウジング２０の後端縁部に外嵌されることにより、操作部材４０がハウジング２０に対して上下方向に位置決めされる。このとき、操作部材４０の右側壁４２は、ハウジング２０の右側面に対して右方へ離間するように位置している。
【００３８】
この後、操作部材４０を、第１誘導溝４５Ａ、第２誘導溝４５Ｂ、第１進入路４７Ａ及び第２進入路４７Ｂに沿って、少し前進させた後、左方へスライドさせる。すると、第１係合突起３４Ａが第１係合溝４４Ａに対して前後方向の相対移動を規制された状態に係合し、第２係合突起３４Ｂが第２係合溝４４Ｂに対して前後方向の相対移動を規制された状態に係合し、一対の第１ガイド突起２４Ａが一対の第１ガイド溝４６Ａの前端部に進入し、一対の第２ガイド突起２４Ｂが一対の第２ガイド溝４６Ｂの前端部に進入し、右側の第３ガイド突起２５Ｒが第３ガイド溝４８の前端部に進入する。
【００３９】
このようにして操作部材４０をハウジング２０に組み付けた後、図６示すように、レバー式コネクタＦのハウジング２０の前端部を相手側コネクタＭのフード部１０内に浅く嵌合させる。すると、フード部１０内の第１カムフォロア１１Ａが第１カム機能部３１Ａの入口に進入するとともに、第２カムフォロア１１Ｂが第２カム機能部３１Ｂの入口に進入する。
【００４０】
この後は、操作部材４０を後方から押すと、操作部材４０がハウジング２０に対して相対的に前進するのに伴い、第１係合突起３４Ａが第１係合溝４４Ａの内面で押されることにより第１レバー３０Ａが回動を開始するとともに、第２係合突起３４Ｂが第２係合溝４４Ｂの内面で押されることにより第２レバー３０Ｂが回動を開始する。すると、レバーの回動に伴い、カム機能部３１Ａ，３１Ｂとカムフォロア１１Ａ，１１Ｂとの係合による倍力作用により、ハウジング２０がフード部１０内に引き込まれる。そして、両レバー３０Ａ，３０Ｂが嵌合位置まで回動されると、図７に示すように、レバー式コネクタＦと相手側コネクタＭとが正規の嵌合状態に至る。
【００４１】
嵌合状態の両コネクタＦ，Ｍを離脱させる際には、操作部材４０を後方へ移動させる。すると、嵌合位置にある両レバー３０Ａ，３０Ｂが初期位置側へ回動し、カム機能部３１Ａ，３１Ｂとカムフォロア１１Ａ，１１Ｂとの係合による倍力作用により、ハウジング２０がフード部１０から引き戻される。そして、両レバー３０Ａ，３０Ｂが初期位置に達すると、図６に示すように、第１カムフォロア１１Ａが第１カム機能部３１Ａの入口に到達するとともに、第２カムフォロア１１Ｂが第２カム機能部３１Ｂの入口に到達する。この後は、レバー式コネクタＦと相手側コネクタＭを引き離すと、第１カムフォロア１１Ａが第１カム機能部３１Ａから解離するとともに、第２カムフォロア１１Ｂが第２カム機能部３１Ｂから解離して、両コネクタＦ，Ｍが離脱される。
【００４２】
また、本実施形態では、操作部材４０を左右反転させた姿勢でハウジング２０に組み付け、電線の束を右方へ導出させることもできる。この場合、操作部材４０をハウジング２０に対して左方へずらせた状態で後方から接近させ、第１係合突起３４Ａを第２誘導溝４５Ｂを経由して第２係合溝４４Ｂに係合させ、第２係合突起３４Ｂを第１誘導溝４５Ａを経由して第１係合溝４４Ａに係合させ、第１ガイド突起２４Ａを第２ガイド溝４６Ｂに進入させ、第２ガイド突起２４Ｂを第１ガイド溝４６Ａに進入させる。また、第３ガイド溝４８には、ハウジング２０の左側の第３ガイド突起２５Ｌが進入する。この場合も、操作部材４０を前進させると、初期位置に保持されていた両レバー３０Ａ，３０Ｂを嵌合位置側へ回動させ、両コネクタＦ，Ｍを嵌合させることができる。
【００４３】
上述のように、操作部材４０がハウジング２０から外されている状態では、保持突起２３と保持面３６との係合作用及び規制突起２２と規制面３５との係合作用により、レバー３０Ａ，３０Ｂを回動規制状態に保持しているので、操作部材４０をハウジング２０に組み付けたときに、操作部材４０の係合溝４４Ａ，４４Ｂをレバー３０Ａ，３０Ｂの係合突起３４Ａ，３４Ｂに係合させ易く、作業性に優れる。
【００４４】
本実施形態では、また、回動規制されたレバー３０Ａ，３０Ｂは、初期位置、即ちハウジング２０を相手側コネクタＭに浅く嵌合させたときにカム機能部３１Ａ，３１Ｂがカムフォロア１１Ａ，１１Ｂと係合できる位置に保持されるようになっている。したがって、操作部材４０をハウジング２０に組み付けてから、相手側コネクタＭとの嵌合を行うまでの間、レバー３０Ａ，３０Ｂを初期位置へ変位させるための操作部材４０の操作が不要となり、この点においても、作業性に優れている。
【００４５】
また、レバー３０Ａ，３０Ｂの保持面３６をカム機能部３１Ａ，３１Ｂに形成しているので、保持面３６をカム機能部３１Ａ，３１Ｂとは別に設ける場合に比べると、レバー３０Ａ，３０Ｂの形状の簡素化が実現されている。
【００４６】
また、操作部材４０には、前後方向に延びる第１ガイド溝４６Ａ及び第２ガイド溝４６Ｂが、操作部材４０の移動方向と交差する左右方向に間隔を空けて複数形成されており、ハウジング２０の外面には、第１ガイド溝４６Ａと第２ガイド溝４６Ｂに係合可能な複数の第１ガイド突起２４Ａと第２ガイド突起２４Ｂとが形成されている。これら複数のガイド溝４Ａ，４６Ｂとガイド突起２４Ａ，２４Ｂとの係合作用により、ハウジング２０に組み付けた操作部材４０を前後方向に移動させる際には、ハウジング２０に対する操作部材４０の姿勢が安定するので、操作性に優れている。
【００４７】
また、操作部材４０をハウジング２０に組み付ける際には、誘導溝４７Ａ，４７Ｂを係合突起２４Ａ，２４Ｂに嵌入させることにより、係合突起２４Ａ，２４Ｂが位置決め手段としての機能を発揮するので、操作部材４０をハウジング２０に対して位置決めすることができる。また、誘導溝４７Ａ，４７Ｂは操作部材４０の前端縁に開口されているので、操作部材４０を変形させなくても、係合突起２４Ａ，２４Ｂを係合溝４４Ａ，４４Ｂに誘い込むことができる。したがって、作業性に優れている。
【００４８】
＜他の実施形態＞
本発明は上記記述及び図面によって説明した実施形態に限定されるものではなく、例えば次のような実施態様も本発明の技術的範囲に含まれる。
（１）上記実施形態では操作部材が電線カバーを兼ねるようにしたが、操作部材と電線カバーとを別部品としてもよい。
（２）上記実施形態では、ハウジング側の保持部とレバー側の保持部を、１つのレバーに対して２つずつ設けたが、１つのレバーに対して設ける保持部は１つずつでもよい。
（３）上記実施形態では保持部によってレバーを初期位置に保持するようにしたが、保持部の係合によって保持されるレバーの位置は、初期位置以外の位置（姿勢）であってもよい。
（４）上記実施形態ではカム機能部を溝状としたが、カム機能部はピニオン状であってもよい。
（５）上記実施形態ではレバー側の保持部（保持面）をカム機能部に形成したが、カム機能部にレバー側の保持部が形成されない形態としてもよい。
（６）上記実施形態では１つのハウジングに一対のレバーを設けたが、１つのハウジングに取り付けるレバーは１つだけでもよい。
（７）上記実施形態ではレバーを一枚板状としたが、レバーは、操作部材との係合部から一対のアーム部を延出された形態であってもよい。
（８）上記実施形態では操作部材の前端縁から係合溝に連通する誘導溝を形成したが、このような誘導溝を形成せず、操作部材を組み付ける際には、操作部材を変形させながら係合突起を係合溝に係合させてもよい。
【図面の簡単な説明】
【００４９】
【図１】実施形態１において操作部材を外した状態のハウジングの平面図
【図２】操作部材を外した状態のハウジングの側面図
【図３】操作部材を外した状態のハウジングの背面図
【図４】操作部材の一部切欠平面図
【図５】操作部材の一部切欠背面図
【図６】相手側コネクタとの嵌合過程をあらわす一部切欠平面図
【図７】相手側コネクタと嵌合した状態をあらわす一部切欠平面図
【符号の説明】
【００５０】
Ｆ…レバー式コネクタ
Ｍ…相手側コネクタ
１１Ａ…第１カムフォロア
１１Ｂ…第２カムフォロア
２０…ハウジング
２２…規制突起（保持部）
２３…保持突起（保持部）
２４Ａ…第１ガイド突起（ハウジングの被ガイド部）
２４Ｂ…第２ガイド突起（ハウジングの被ガイド部）
３０Ａ…第１レバー
３０Ｂ…第２レバー
３１Ａ…第１カム機能部
３１Ｂ…第２カム機能部
３４Ａ…第１係合突起
３４Ｂ…第２係合突起
３５…規制面（保持部）
３６…保持面（保持部）
４０…操作部材
４４Ａ…第１係合溝
４４Ｂ…第２係合溝
４５Ａ…第１誘導溝
４５Ｂ…第２誘導溝
４６Ａ…第１ガイド溝（操作部材のガイド）
４６Ｂ…第２ガイド溝（操作部材のガイド）
【図１】
2009245781.tif 000003
【図２】
2009245781.tif 000004
【図３】
2009245781.tif 000005
【図４】
2009245781.tif 000006
【図５】
2009245781.tif 000007
【図６】
2009245781.tif 000008
【図７】
2009245781.tif 000009